(57)【要約】【課題】特定商品に添付されるＩＣタグから携帯端末で関連情報を読み取ることで、携帯端末が自動的にサーバにアクセスし、記録されている関連情報を得られるＩＣタグによる関連情報提供システムを提供する。【解決手段】特定商品１０に附されるＩＣタグ２０と、該ＩＣタグ２０に記録された特定商品１０の関連情報を、読取手段Ｒ／Ｗで読み取って再生し表示する表示手段ＤＡと通信回線５０に接続する送受信手段を備えた携帯端末３０と、該携帯端末３０と通信回線５０を介して接続され、且つ特定商品１０の関連情報が記録されるサーバ６１，６２とを備え、携帯端末３０が読み取った関連情報によりサーバ６１，６２と接続された際、サーバ６１，６２は記録されている特定商品１０の関連情報を更新し、且つ特定商品１０の関連情報を携帯端末３０に表示させることを特徴とするＩＣタグによる関連情報提供システム。【選択図】図１
2014085757.tif 000002
【特許請求の範囲】
【請求項１】
商品に附されるＩＣタグと、
前記ＩＣタグに記録された情報を読み取る読取手段と、この読取手段で読み取った前記情報を再生、表示する表示手段と、前記読取手段で読み取った前記情報を通信回線を介して送信する送信手段とを備えた携帯端末と、
前記通信回線を介して前記携帯端末と接続され、前記送信手段で送信された情報を受信してこの情報をもとに記憶している記録情報を前記携帯端末に返送するサーバと、を有するシステムであって、
前記商品に関連する情報を前記タグまたは前記サーバに記録するとともに、前記タグに記録された情報の前記携帯端末の読取により前記商品に関連する情報を前記携帯端末に再生しまたは表示することを特徴とするＩＣタグによる関連情報提供システム。
【請求項２】
前記商品に関連する情報は、前記商品に関して、その全容、形状、寸法、重量、色彩、模様、構造の外観情報やそれを示す写真、絵画などを含み、あるいは、前記外観情報が記憶されているＩＣタグやＳＤメモリカードのアドレス情報またはサーバのＵＲＬのアドレス情報を含むことを特徴とする請求項１に記載のＩＣタグによる関連情報提供システム。
【請求項３】
前記商品に関連する情報は、前記商品に関して、その製造者、製造年月日、製造番号、製造図面、製造回路、カタログの製造情報を含むか、あるいは、前記製造情報が記憶されているＩＣタグやＳＤメモリカードのアドレス情報またはサーバのＵＲＬのアドレス情報を含むことを特徴とする請求項１に記載のＩＣタグによる関連情報提供システム。
【請求項４】
前記商品に関連する情報は、該商品を贈与したまたは作成した人の情報、贈与や作成に関連する情報、記念の言葉の情報を含み、あるいは、前記情報が記憶されているＩＣタグやＳＤメモリカードのアドレス情報またはサーバのＵＲＬのアドレス情報を含むことを特徴とする請求項１に記載のＩＣタグによる関連情報提供システム。
【請求項５】
前記商品に関連する情報は、該商品を所持する者の本人照合のための住民票、保険証、運転免許書、パスポートの本人情報を含むことを特徴とする請求項１に記載のＩＣタグによる関連情報提供システム。
【請求項６】
前記タグは、ＲＦＩＤまたはＩＣタグであることを特徴とする請求項１ないし５の何れか１項に記載のＩＣタグによる関連情報提供システム。
【請求項７】
前記タグは、金属面用の磁界形のＲＦｌＤまたはＩＣタグであることを特徴とする請求項６に記載のＩＣタグによる関連情報提供システム。
【請求項８】
前記タグは、前記商品の内部に埋め込まれていることを特徴とする請求項６または７に記載のＩＣタグによる関連情報提供システム。
【請求項９】
前記携帯端末は、携帯電話端末であることを特徴とする請求項１乃至８の何れか１項に記載のＩＣタグによる関連情報提供システム。
【請求項１０】
前記携帯端末を住宅、オフィス、金庫、自動車のドアに設置し、前記商品に付された前記タグからの情報を前記携帯端末に読み取らせて、前記タグの情報をセキュリティキーとして用いることを特徴とする請求項６または７に記載のＩＣタグによる関連情報提供システム。
【請求項１１】
前記携帯端末が定期的に前記タグの情報を読み取ることで、前記商品の所在を検出する位置検出手段を備えることを特徴とする請求項６または７に記載のＩＣタグによる関連情報提供システム。
【請求項１２】
撮像手段を更に備え、前記位置検出手段が前記商品の所在をセンシングし、存在や異常を検出したときに前記撮像手段により撮像を行うことを特徴とする請求項１１に記載のＩＣタグによる関連情報提供システム。
【請求項１３】
前記商品に関する情報は、該商品に関する広告関連情報であることを特徴とする請求項１乃至１２のいずれか１項に記載のＩＣタグによる関連情報提供システム。
【発明の詳細な説明】
【技術分野】
【０００１】
本発明は、特定付加価値商品（以下「特定商品」と記す）等の商品に取付けられたバーコード、ＩＣカード、ＩＣタグ、ＲＦＩＤ等（以下総称として「ＩＣタグ」と記す）に記録された関連情報を利用するためのＩＣタグによる関連情報提供システムに関する。
【背景技術】
【０００２】
従来からＩＣタグを用いて、種類別に宝石、ブランド品、装飾品、趣味・嗜好品、本、製品等の身の廻りの特定商品の管理、あるいは保管しておきたい特定商品に係る関連情報の提供や特定商品管理装置の提供がなされている。
【０００３】
ＩＣタグを用いた特定商品管理装置の例として、例えば、保管装置内の貴重品（特定商品）に設けられたＩＣタグのＩＤコードを、通信回線を介して管理サーバに送信することで特定商品の盗難や不正使用などの異常事態を検出し、これを防止する装置が報告されている（例えば、特許文献１参照）。
【先行技術文献】
【特許文献】
【０００４】
【特許文献１】特開２００５−１４６６４６号公報
【発明の開示】
【発明が解決しようとする課題】
【０００５】
しかし、この例では、ＩＣタグに記録されている関連情報は単なる管理コードに過ぎず、ＩＣタグに記録された関連情報をそのまま意昧ある情報として利用していない。
【０００６】
ＩＣタグに記録された関連情報は、管理コードとして通信、検索用のアドレス情報として用いられるのは勿論のことであるが、その管理コードから派生する情報をそのまま音声信号、文字情報、画像情報として再生し表示することが重要で、ＩＣタグの記録情報の広範な利用が可能となるシステムが必要とされている。
【０００７】
また、従来なら一回で済んでしまうサーバとの通信や決済を、あたかも生き物のように増大させ新しい関連情報に作り上げて連続的に提供するシステムも必要となる。単に関連情報を余分に蓄積するのではなく、所有者の嗜好情報を分析し、その好みに合わせて関連する商品情報を提供し、将来の購買を予測した関連情報を提供するシステムが必要とされている。
【０００８】
しかし例示した従来の装置では、ＩＣタグに記録されている情報は単に管理コードやＩＤコードとして用いているに過ぎず、またカテゴリー形のホームページアクセス方式では、利用者にとって手間と時間がかかってしまう課題がある。
【０００９】
従来の方式の特徴を以下に述べる。
（１）インターネットに入らなければならない。
（２）アクセスする項目を入力しなければならない。検索の結果、これが欲しい情報の検索となるかは不確定である。
（３）多くの不要な情報の中から欲しい情報を選ばなければならない。
（４）欲しい情報を得るまでに手間がかかる。
（５）欲しい情報を得るために何度か操作が必要である。
（６）同一名称で全く異なるものがある。
（７）自分の記録をサーバに保存することは経費がかかるが広告やサーバにアクセスする方法として用いれば広告企業側の負担となる。
（８）通話料は自分が払っていた。
（９）ＵＲＬを自分で入力しなければならない。
【００１０】
本発明は以上の課題に鑑み、携帯電話、スマートフォン、タブレット（Ｔａｂｌｅｔ）等の携帯端末をリーダモードに設定し、目的の情報を得るためのＩＣタグやバーコードを取付けた物品等に携帯端末をかざすだけで、ＮＦＣ（Ｎｅａｒ  Ｆｉｅｌｄ  Ｃｏｍｍｕｎｉｃａｔｉｏｎ）リーダ機能やバーコードリーダ機能を発揮させることができる。
【００１１】
すなわち、携帯端末が自動的に自分の要求している情報が収容されているサーバやホームページに直接アクセスし、管理コードに対応するＵＲＬから欲しい画像、映像、音、文字を得られるシステムである。また、一旦ＩＣタグが取付けられた特定商品から、更に使い道を広げる情報を提供することで、多くの利用目的に応用することができる。
【００１２】
本発明ではこれらの画像、文字に加えて、情報を携帯端末に表示するだけでなく更に進んで次の関連情報の案内を表示し、該表示に従って画面をクリックすることにより、更にその特定商品のあるいは関連商品のデータにアクセスすることができる。これらの特定商品あるいは関連商品の映像を見るだけでなく、ネットワークを介して商品の購買まで行うことができるようにするシステムである。
【００１３】
更に、このＩＣタグを用いて種類別に宝石、ブランド品、装飾品、趣味、嗜好品、本、製品等の身の廻りの特定商品、あるいは保管しておきたい特定商品にまつわる関連情報を提供し、それと共にこれら特定商品に関する広告を打ち、且つこの広告に関連する企業のホームページにアクセスすることを図ったＩＣタグによる関連情報提供システムを提供できる。
【課題を解決するための手段】
【００１４】
以上の課題を解決するため、本発明の特定商品の関連情報提供システムは、以下の構成を備えるものである。
【００１５】
（１）商品に附されるＩＣタグと、
前記ＩＣタグに記録された情報を読み取る読取手段と、この読取手段で読み取った前記情報を再生、表示する表示手段と、前記読取手段で読み取った前記情報を通信回線を介して送信する送信手段とを備えた携帯端末と、
前記通信回線を介して前記携帯端末と接続され、前記送信手段で送信された情報を受信してこの情報をもとに記憶している記録情報を前記携帯端末に返送するサーバと、を有するシステムであって、
前記商品に関連する情報を前記タグまたは前記サーバに記録するとともに、前記タグに記録された情報の前記携帯端末の読取により前記商品に関連する情報を前記携帯端末に再生しまたは表示することを特徴とするＩＣタグによる関連情報提供システム。
【００１６】
（２）前記商品に関連する情報は、前記商品に関して、その全容、形状、寸法、重量、色彩、模様、構造の外観情報やそれを示す写真、絵画などを含み、あるいは、前記外観情報が記憶されているＩＣタグやＳＤメモリカードのアドレス情報またはサーバのＵＲＬのアドレス情報を含むことを特徴とする前記（１）に記載のＩＣタグによる関連情報提供システム。
【００１７】
（３）前記商品に関連する情報は、前記商品に関して、その製造者、製造年月日、製造番号、製造図面、製造回路、カタログの製造情報を含むか、あるいは、前記製造情報が記憶されているＩＣタグやＳＤメモリカードのアドレス情報またはサーバのＵＲＬのアドレス情報を含むことを特徴とする前記（１）に記載のＩＣタグによる関連情報提供システム。
【００１８】
（４）前記商品に関連する情報は、該商品を贈与したまたは作成した人の情報、贈与や作成に関連する情報、記念の言葉の情報を含み、あるいは、前記情報が記憶されているＩＣタグやＳＤメモリカードのアドレス情報またはサーバのＵＲＬのアドレス情報を含むことを特徴とする前記（１）に記載のＩＣタグによる関連情報提供システム。
【００１９】
（５）前記商品に関連する情報は、該商品を所持する者の本人照合のための住民票、保険証、運転免許書、パスポートの本人情報を含むことを特徴とする前記（１）に記載のＩＣタグによる関連情報提供システム。
【００２０】
（６）前記タグは、ＲＦＩＤまたはＩＣタグであることを特徴とする前記（１）ないし（５）の何れか１項に記載のＩＣタグによる関連情報提供システム。
【００２１】
（７）前記タグは、金属面用の磁界形のＲＦｌＤまたはＩＣタグであることを特徴とする前記（６）に記載のＩＣタグによる関連情報提供システム。
【００２２】
（８）前記タグは、前記商品の内部に埋め込まれていることを特徴とする前記（６）または（７）に記載のＩＣタグによる関連情報提供システム。
【００２３】
（９）前記携帯端末は、携帯電話端末であることを特徴とする前記（１）乃至（８）の何れか１項に記載のＩＣタグによる関連情報提供システム。
【００２４】
（１０）前記携帯端末を住宅、オフィス、金庫、自動車のドアに設置し、前記商品に付された前記タグからの情報を前記携帯端末に読み取らせて、前記タグの情報をセキュリティキーとして用いることを特徴とする前記（６）または（７）に記載のＩＣタグによる関連情報提供システム。
【００２５】
（１１）前記携帯端末が定期的に前記タグの情報を読み取ることで、前記商品の所在を検出する位置検出手段を備えることを特徴とする前記（６）または（７）に記載のＩＣタグによる関連情報提供システム。
【００２６】
（１２）撮像手段を更に備え、前記位置検出手段が前記商品の所在をセンシングし、存在や異常を検出したときに前記撮像手段により撮像を行うことを特徴とする前記（１１）に記載のＩＣタグによる関連情報提供システム。
【００２７】
（１３）前記商品に関する情報は、該商品に関する広告関連情報であることを特徴とする前記（１）乃至（１２）のいずれか１項に記載のＩＣタグによる関連情報提供システム。
【発明の効果】
【００２８】
本発明は、以上の構成よって、特定商品に添付されているＩＣタグに、その特定商品の関連情報を再生表示しやすい形で記録することが可能で、更に該ＩＣタグを用いて、その特定商品の盗難や紛失防止を可能にしたり、特定商品をその所有者の本人確認やセキュリティなどに用いたりすることを可能にする特定商品のＩＣタグによる関連情報提供システムを実現することができる。
【００２９】
ＮＦＣ機能を備えた携帯端末を特定商品に添付されているＩＣタグにかざすだけで、自分が希望する情報を得るためサーバに直接アクセスし、必要な画像、映像、音、文字が得られる。サーバにアクセスすることで、自分の好みが無数の広告が打たれているクラウドコンピュータにより分析され、その分析データに基づき自分の好みにあわせて編集された広告が打たれ、表示された画像をクリックするだけで広告に関連するホームページにアクセスすることができる。
【００３０】
そのため、面倒な操作が不要となり、素人にも難なく画像や音声による関連情報を素早く簡単に得ることができる。この場合、文字入力や操作も不要なので、画像を見てその画像に指でアクセスする方式の、いわゆるＧＵＩ（Ｇｒａｐｈｉｃａｌ  Ｕｓｅｒ  Ｉｎｔｅｒｆａｃｅ）機能により次々と画像や情報を得ることができる。
【００３１】
特定商品のメイン情報を選択する過程で、別途分析された個人の好みにあわせた広告が次々にサブ情報として画面に表示されることで、所有者は次々と別のホームページに移動し、ほぼ無制限に連続して関連情報を得ることができる。
【００３２】
購入と支払いの必要が発生したときは、別途支払い用ソフトウエアを起動して画面の一部に表示し、ＥＭＶ（Ｅｕｒｏｐａｙ，Ｍａｓｔｅｒｃａｒｄ，Ｖｉｓａ）仕様のＮＦＣカードを携帯端末にかざして読み込ませて暗証番号を入力した後、購入ボタンを押すことにより同じ携帯端末で購入を行うことができる。ＥＭＶ仕様のステップが、携帯端末に入っている場合にはそのまま支払いが可能になる。通信料は企業のコマーシャル等でまかなうことができ、個人が通信料を支払う必要はない。
【００３３】
また、ＩＣタグは小形対象物に対しても容易に取付けられるように、小形に形成することができる。
【図面の簡単な説明】
【００３４】
【図１】（ａ）本発明のＩＣタグによる関連情報提供システムの構成を示す図、（ｂ）ＩＣタグによる関連情報提供システムの基本概念を示すブロック図
【図２】埋め込み用の筒型ＩＣタグの実装の経緯を示す説明図
【図３】金属対応ＩＣタグの例を示す外観斜視図
【図４】金属対応ＩＣタグの宝石指輸および時計への実装例を示す説明図
【図５】カード型ＩＣカード、ＩＣタグの代わりに宝石の指輪や時計に取付けたＩＣタグをスマートフォンで読み、このタグ情報によりクラウドにアクセスする場合の説明図
【図６】スマートフォン画面の情報と広告の位置を例示する図
【図７】スマートフォン、タブレット、ノートパソコンにより、特定商品に取付けられたタグＩＤにより、クラウドのサーバ情報にアクセスする場合の説明図
【図８】ＩＣカード、ＩＣタグのチップを用いた指輪や時計のＩＣ信号をリーダで読みＩＣのセキュリティ機能をキーとして用いる場合の説明図
【図９】位置検出手段を備える商品管理システムの例を示す図
【発明を実施するための形態】
【００３５】
以下、本発明を実施するための形態を、実施例に沿って説明する。
【実施例】
【００３６】
図１（ａ）は、本実施例の特定商品のＩＣタグを用いた関連情報提供システムの構成を示す図である。図１（ａ）において、１０は特定商品、２０はＩＣタグ、３０はリーダ機能を有する携帯端末、４０は基地局、５０はネットワーク、６１，６２はサーバ、６３は記録媒体である。
【００３７】
図１（ａ）に示すように、指輪などの特定商品１０にはＩＣタグ２０が装着されている。この特定商品１０のＩＣタグ２０と携帯端末３０との通信は、一般的には近距離通信（ＮＦＣ：Ｎｅａｒ  Ｆｉｅｌｄ  Ｃｏｍｍｕｎｉｃａｔｉｏｎ）によって行われる。ＩＣタグ２０は、ＩＣカードやＲＦＩＤ（Ｒａｄｉｏ  Ｆｒｅｑｕｅｎｃｙ  Ｉｄｅｎｔｉｆｉｃａｔｉｏｎ）などに使用されている近距離通信ＮＦＣによって、記憶している情報を携帯端末３０に転送することができる。携帯端末３０に読み込まれた関連情報は、ＷｉＦｉ（Ｗｉｒｅｌｅｓｓ  Ｆｉｄｅｌｉｔｙ：「登録商標」）や無線ＬＡＮなどの通信回線を使って、モバイルネットワーク基地局４０やインターネットなどのネットワーク５０を介してサーバ６１，６２に自動的に接続されるように構成された関連情報提供システムである。
【００３８】
また、ＩＣタグ２０がバーコードの場合は、携帯端末３０のカメラでバーコードを撮影することで関連情報が読み込まれる。
【００３９】
近距離通信機能を有するＩＣタグ２０の構造は、専用のＩＣチップとアンテナコイルを一体化し、携帯端末３０が備えるリーダ・ライタＲ／Ｗからの読取信号をベースとして動作する。ＩＣタグ２０のアンテナは携帯端末３０からの読取信号を受信し、更にＩＣチップの情報を読取信号に乗せて送り返す。
【００４０】
図１（ｂ）は、特定商品１０に装着されるＩＣタグによる関連情報提供システムの基本概念を示すブロック図である。文章、ビデオ、画像など、従来、紙やレコーダなどのアナログ媒体１００に記録されていた特定商品１０にまつわる関連情報を、本実施に係るＩＣタグによる関連情報提供システムでは、文字情報、画像情報、音声情報、アドレス情報として電子情報化する。これらを検索するキーとなる関連情報はＩＣタグ２０に記録されるか、あるいは容量が大きい場合にはサーバ６１，６２や、特定商品１０に付属するＳＤメモリやＵＳＢメモリなどの記録媒体６３にこれらの関連情報そのものを格納するとともに、ＩＣタグ２０には格納先のアドレス情報が記録され、該アドレス情報が読み込まれると自動的にアクセスするように機能する。携帯端末３０は、近距離通信ＮＦＣを介してＩＣタグ２０からこれらの関連情報を読み取り、文字情報、画像情報、音声情報として再生し表示するようにしたものである。
【００４１】
特定商品１０の関連情報の具体例は、特定商品１０の外観情報、製造情報、記念情報、及び特定商品１０所持者の本人証明情報などが記録されている。また、ＩＣタグ２０に記憶されている関連情報がアドレス情報の場合は、サーバ６１，６２や記録媒体６３から読み出される。
【００４２】
外観情報には、特定商品１０の全容、形状、寸法、重量、色彩、模様、構造などの外観情報と特定商品１０を示す写真、絵画などの画像を含む関連情報であって、対象としている特定商品１０の価値を裏付ける意味を有している。
【００４３】
製造情報には、特定商品１０に関して、その製造者、製造年月日、製造番号、製造図面、製造回路、材料部品原価、購入価格、カタログなどの製造に関連した情報であって、対象としている特定商品１０の製造、修理あるいは再発注する場合に必要となる関連情報である。この製造情報を備えることで、万一その特定商品１０が盗難に遭ったり紛失されたり壊れたりした場合に、改めて製造や修理することが可能になる。
【００４４】
記念情報には、特定商品１０に関して、その特定商品１０を贈った人や作成した人の心情やその特定商品１０に対する思い入れ、特定商品１０の購入時や贈答時、または作成時のいきさつや事情、記念の言葉やお礼の言葉などを含む情報で、思い出のページを開くことができる惰報である。このような情報を伴うことによって、所有者とその特定商品１０との間の個人的な価値や思い入れをいっそう高めることができる。
【００４５】
本人証明情報には、その特定商品１０を所有する者の住民票や保険証、運転免許書、パスポートの記載などの本人を証明する情報を含ませることで、所有者が特定商品１０を常時携行していれば、所有者の身分証明として用いることが可能で身元確認にも用いることができる。
【００４６】
また、万一その商品が盗難に遭ったり紛失されたりした場合、特徴を手配書に記述して特定商品１０を容易に識別することができるようなセキュリティ情報や、特定商品１０の価格や価値を示す鑑定書などの品質保証情報を加えることで、特定商品１０の商品価値を更に高めることができる。
【００４７】
図２及び図３に、具体的なＩＣタグ２０の構成の一例を示す。
【００４８】
図２に示す構成例は、真珠２１６などの非金属の特定商品１０に埋め込んで用いる筒型のＩＣタグ２１である。この筒型のＩＣタグ２１は図２（ａ）に示すように、円筒状の磁性休２１３に巻かれたコイル２１２にＩＣチップ２１１を接続し、図２（ｂ）のようにＩＣチップ２１１を磁性体２１３内に収めて筒型に整え、その外周を図２（ｃ）のようにプラスチック２１４で覆い、図２（ｄ）のように磁性体２１３の中心に金属または糸を通してガイド２１５を設けた構造となっている。
【００４９】
一方、真珠２１６には、図２（ｅ）のように筒型のＩＣタグ２１が挿入可能な穴２１６ａを開け、図２（ｆ）のようにガイド２１５を用いてＩＣタグ２１を挿入し、必要があれば図２（ｇ）のように穴２１６ａに蓋２１７をして封止剤（例えば、プラスチックや糊等）で封止する。これにより、図２（ｈ）のように外観上は存在が目立たないＩＣタグ２１の実装が実現できる。
【００５０】
図３は、金属面の影響を受けない金属対応ＩＣタグ２２の構成例である。ＩＣタグ２０は情報を検知する際に高周波電磁界を用いているため、金属面の近くでは影像効果（イメージ効果）による逆相の誘導電流が引き起こされるので、ＩＣタグ２０と携帯端末３０と間の通信が著しく損なわれる。これを防いで貴金属部分を有する指輸などに用いるためには、コイルが巻廻された薄い磁性体と金属板を用いて、金属面の影像効果を逆に利用し金属面の影響を受けない金属対応ＩＣタグ２２を用いる必要がある。
【００５１】
図３（ａ）は、ＩＣチップ２２１とコイル２２２と磁性体２２３で構成された金属対応ＩＣタグ２２の例であり、図３（ｂ）は、そのＩＣチップ２２１部分をプラスチック２２４で封止して磁路を確保した金属対応ＩＣタグ２２の例である。
【００５２】
図３（ｃ）は、磁性体２２３の上下面を金属板２２５で覆い、金属板２２５の金属面の影像効果を利用して、上下の金属板２２５と平行で磁性体２２３に巻回されたコイル２２２の軸方向に放射される磁界を形成して感度を部分的にあげた金属対応ＩＣタグ２２の例である。
【００５３】
図３（ｄ）は、磁性体２２３の下面に金属板２２５を設けることで金属板２２５の金属面の影像効果を利用して上半分に磁界を形成し、上半分のみの感度しか得られないが磁界の密度は２倍になる金属対応ＩＣタグ２２の例である。
【００５４】
図３（ｅ）は金属に埋め込むことが可能な円筒状の金属対応ＩＣタグ２２の例で、図３（ｆ）は積層構造の金属対応ＩＣタグ２２の例である。金属に装備することで変動する共振周波数を予め調整しておけば、貴金属部分を有する特定商品１０に装着されても影響を受けない金属対応ＩＣタグ２２を提供できる。
【００５５】
図４は、宝飾品等の金属を含む特定商品に、金属対応ＩＣタグ２２を使用した例を示す。
【００５６】
図４（ａ）は金属対応ＩＣタグ２２を、金属製のリング２３２に宝石２３１を嵌め込んだ指輪１０３に設けた例で、図４（ｂ）に示すように宝石２３１の裏側にＩＣタグ２２を装着した外観斜視図である。
【００５７】
図４（ｃ）は腕時計１０４の文字盤ＲＦをプラスチックで構成し、この文字盤ＲＦの裏側に図４（ｄ）に示す金属対応ＩＣタグ２２を取付けた場合を示す。
【００５８】
図４（ｅ）、図４（ｆ）は金属製の腕時計１０４に、金属に強いＩＣタグ２２を直接取付けた場合で、革製バンド２３４または金属製バンド２３２部分に、仕様により使用周波数の異なるＨＦ形またはＵＨＦ形のＩＣタグ２２を取付けた場合を示す。
【００５９】
図５は、特定商品１０に取り付けられるバーコードやＩＣカードなどのＩＣタグ２０から読み取った符号（アドレス情報）に従って、付属のＳＤメモリ６３や通信回線を介してサーバ６１，６２より関連情報を得るＩＣタグによる関連情報提供システムを示す。
【００６０】
図５（ａ）は、クレジットカードや電子マネーなど非接触の電子決済カードに組込まれたＩＣタグ２０の場合で、ＩＣタグ２０から読み取った符号を基に情報を得るＩＣタグによる関連情報提供システムを示す。携帯端末３０は、ＩＣタグ２０から読み取った関連惰報を、音声信号、文字情報、画像惰報などに分けて再生し表示する。また、ＩＣタグ２０から読み取った関連情報が、付属するＳＤメモリ６３やＵＲＬなどのアドレス情報である場合、付属するＳＤメモリ６３を装着して対応するアドレスから特定商品１０の関連情報を読み取る機能と、ネットワーク５０を経由してサーバ６１，６２にアクセスして記憶されている特定商品１０の関連情報を読み出す機能を発揮する。
【００６１】
図５（ｂ）は多種多様な指輪を例に、特定商品１０に貼り付けあるいは埋め込まれるＩＣタグ２０の装着位置を示す。
【００６２】
尚、図１や図５では携帯端末３０をスマートフォンとして示したが、必ずしもこれに限らず、バーコードを読み取るカメラや近距離通信ＮＦＣなどによるリーダ・ライタ機能が備わったものであれば、携帯端末３０はタブレットやノートパソコンＰＣでも良く、携帯電話やスマートフォンに限定するものではない。また、特定商品１０は自分で購入する場合もある。
【００６３】
図６は、ＩＣタグ２０を備えたクレジットカード（特定商品１０）から関連情報を読み取った際、サーバ６１，６２が個人の購買動向の分析に基づき携帯端末３０の情報表示エリアＤＡの画面の一部を利用して、複数の関連広告ＤＳを追加表示する例を示す。
【００６４】
個人の嗜好や購買動向、及び特徴などの個人情報を集積したサーバ６２は、データバンク（ビッグデータ）としての利用価値が高く、当該データバンクに集められた個人情報を基に分析し、個人に対してサーバ６１が宣伝用サーバとして機能し携帯端末３０に特定の広告ＤＳ１〜ｎを打つことができる。
【００６５】
サーバ６２に集められた利用者や個人の特徴的な情報である嗜好、趣味、購入商品、購買力等に従って利用者の特徴を分析して抽出し、サーバ６１より利用者の特徴に沿った広告ＤＳ１〜ｎを打つことにより、より購買確度の高い個人をターゲットにした宣伝を表示する機能で、特にブランド品の所有者に対する利用傾向が強い。
【００６６】
サーバ６１，６２に集約された利用者や個人の購買商品動向に従って、携帯端末３０の情報表示エリアＤＡの隅に広告表示領域を設け、関連する情報の広告ＤＳ１〜ｎを有効に打っことで、実際の購入に結びつけることができる。その結果、販売元からの広告料が取れることでサーバ６１，６２の使用料を低額に抑えることができるため個人の負担が低減し、且つサーバ６１，６２の利用拡大や、システムの拡張ができる。
【００６７】
図７は、各種のブランド品（バッグ１０１、スーツ１０２、指輪１０３、時計１０４）などの特定商品１０にＩＣタグ２０を取付けた場合の例である。個人の特定商品１０に対する個人的な価値や思い入れを介して購買に結び付けるＩＣタグによる関連情報提供システムの例を示す。
【００６８】
宝石に限らず記念となる物、並びにブランド品などの特定商品１０にまつわる記念情報を携帯端末３０で読取る際、ネットワーク５０を介してサーバ６１，６２にそのアクセス情報を記録して個人の嗜好や購入商品データを収録し、購買動向を分析して利用者の携帯端末３０に広告ＤＳを打つことで、新たな特定商品１０の売上げにつなげるような特定商品１０の宣伝を行うものである。
【００６９】
図８には、特定商品１０のＩＣタグ２０に記憶される関連情報として本人証明情報や特定の符号などを記録させて、所有者の身分証明として用いることが可能で、特定商品１０を所有者のセキュリティキーとして用いる例を示す。
【００７０】
例えば図８（ａ）は住まいの玄関１０５の開閉、図８（ｂ）は金庫１０６の開閉、図８（ｃ）は自動車１０７の開閉、図８（ｄ）はパソコンＰＣの個人認証に使用するため、夫々に装着された携帯端末３０のリーダ機能を活用した応用例である。
【００７１】
所有者が特定商品１０を常時携行し、必要時に携帯端末３０に特定商品１０をかざした際、カメラ７０で捉えた顔認証や網膜認証、あるいは指紋認証などと連動させることで、携帯端末３０が読み取った所有者の情報を認識して玄関１０５や金庫１０６、及び車１０７のドアの開閉、パソコンＰＣの起動など、より高度なセキュリティキー機能を果たすことができる。
【００７２】
ＩＣカードやＲＦＩＤなどで利用されている近距離通信ＮＦＣは、一般的に用いられる周波数が１３．５６ＭＨｚ、９２０ＭＨｚ、２．４５ＧＨｚなどであり、使用周波数やアンテナ感度などによって差があるものの、交信可能距離範囲は数ｍｍから数ｍぐらいの距離範囲である。特定商品１０にＩＣタグ２０を取付けていれば、携帯端末３０がＩＣタグ２０にアクセス可能となった時点で、特定商品１０が携帯端末３０から数ｍｍから数ｍ程度の距離範囲に存在していることが分かり、特定商品１０の所在を確認することができる位置検出機能を有している。
【００７３】
この位置検出機能を応用して、固定された携帯端末３０に連続あるいは所定の繰り返し周期でＩＣタグ２０を読取る位置検出手段を設け、この位置検出手段で読取りが可能であれば、特定商品１０は定位置に存在することになる。もし、特定商品１０の読取りができなければ、特定商品１０が別の位置に移動したことを意味し、その移勤が予定されたものでなければ盗難などの異常事態が発生したことを検知できる。
【００７４】
図９には、ＩＣタグ２０と携帯端末３０のリーダ機能を利用した位置検出手段を備えたＩＣタグによる関連情報提供システムの応用例を示す。商品棚に並べて納められている本あるいはＤＶＤなどの特定商品１０は、金属対応ＩＣタグ２２を備えた商品収納プラスチックケース１０８に納められている。金属対応ＩＣタグ２２は、棚板１１０に敷設されたセンサアンテナ１０９により、該センサアンテナ１０９に接続された携帯端末３０のリーダ・ライタＲ／Ｗで、連続あるいは所定の繰り返し周期でＩＣタグ２０を検知している。その特定商品１０に装着されたＩＣタグ２０の読取りデータを管理用パソコンＰＣにて常時モニタすることで、位置検出手段を備えた盗難防止システムが構築できる。
【００７５】
この盗難防止システムでは、携帯端末３０と連動する複数のカメラ７０などの撮像装置を設置することができる。特定商品１０が普段保存されている商品棚の周辺、特定商品１０が普段置かれている部屋の入口、家屋の玄関などの特定位置が撮影できるように設置されたカメラ７０を備えた携帯端末３０は、万が一特定商品１０の盗難などの異常事態が検知した場合、すぐさま特定位置を撮影して証拠になる映像を残すようにすることもできる。
【００７６】
また、所有者本人が携帯端末３０を携帯する場合は、携帯端末３０のリーダ・ライタＲ／Ｗを使ってオフィス、自宅、金庫、自動車、管理用パソコンＰＣ等のアクセスキーとして用いることもできる。
【００７７】
尚、ＩＣタグ２０，２１，２２および携帯端末３０のリーダ・ライタＲ／Ｗの近距離通信ＮＦＣに使用される周波数は、１００ｋＨｚ帯や、１３．５６ＭＨｚ帯のＨＦ帯が一般に用いられているが、仕様によっては９２０ＭＨｚ帯や２．４５ＧＨｚ帯等のＵＨＦ帯を用い、場合によってはＶＨＦ帯を用いたものもある。特に通信距離を長く取りたい場合には、ＶＨＦやＵＨＦ帯の周波数を用いてもよい。ＶＨＦ帯やＵＨＦ帯のアンテナについては別途の技術であるので、この技術については特定しない。
【符号の説明】
【００７８】
ＮＦＣ  近距離通信
ＰＣ    パソコン
Ｒ／Ｗ  リーダ・ライタ（読取手段に対応）
１０    特定商品（特定付加価値商品に対応）
２０    ＩＣタグ
２１    筒型ＩＣタグ
２２    金属対応ＩＣタグ
３０    携帯端末
４０    基地局
５０    ネットワーク（通信回線に対応）
６１    サーバ
６２    サーバ
６３    ＳＤメモリ（記録媒体に対応）
７０    カメラ
１０１  バッグ
１０２  スーツ
１０３  指輪
１０４  時計
１０５  扉
１０６  金庫
１０７  車
１０８  商品収納プラスチックケース
１０９  センサアンテナ
１１０  棚板
２１１  ＩＣチップ
２１２  コイル
２１３  磁性体
２１４  プラスチック
２１５  ガイド
２１６  真珠
２１７  蓋
２２１  ＩＣチップ
２２２  コイル
２２３  磁性体
２２４  プラスチック
２２５  金属板
２３１  宝石
２３２  リング
２３３  金属製バンド
２３４  革製バンド
【図１】
2014085757.tif 000003
【図２】
2014085757.tif 000004
【図３】
2014085757.tif 000005
【図５】
2014085757.tif 000006
【図６】
2014085757.tif 000007
【図７】
2014085757.tif 000008
【図８】
2014085757.tif 000009
【図９】
2014085757.tif 000010
【図４】
2014085757.tif 000011